(57)【要約】【課題】再撮影の要否の検査対象を自動的に選別して検査の効率性を高めること。【解決手段】帳票を撮影して得られた帳票画像に含まれる前記帳票の外形を検出する検出部と、前記検出部により検出された前記帳票の外形に基づいて、前記帳票画像を再撮影の要否の検査の対象とするか否かを判定する判定部と、前記判定部による判定の結果に応じて、前記帳票画像を端末装置に配信して表示させる表示制御部と、を備える情報処理装置を提供する。【選択図】図４
2010204806.tif 000002
【特許請求の範囲】
【請求項１】
帳票を撮影して得られた帳票画像に含まれる前記帳票の外形を検出する検出部と；
前記検出部により検出された前記帳票の外形に基づいて、前記帳票画像を再撮影の要否の検査の対象とするか否かを判定する判定部と；
前記判定部による判定の結果に応じて、前記帳票画像を端末装置に配信して表示させる表示制御部と；
を備える情報処理装置。
【請求項２】
前記情報処理装置は、
前記帳票画像に含まれる領域であって正常に撮影されなかったと推定される領域について画像を補正する画像補正部、
をさらに備える、請求項１に記載の情報処理装置。
【請求項３】
前記情報処理装置は、
前記判定部による判定の結果を前記帳票画像と関連付けて記憶する記憶部、
をさらに備える、請求項２に記載の情報処理装置。
【請求項４】
前記記憶部は、前記画像補正部による補正量に関するデータを、さらに前記帳票画像と関連付けて記憶する、請求項３に記載の情報処理装置。
【請求項５】
前記表示制御部は、前記補正量に関するデータを、前記帳票画像と共に前記端末装置へ配信する、請求項４に記載の情報処理装置。
【請求項６】
前記補正量に関するデータは、前記画像補正部により補正された補正領域の面積を含む、請求項４に記載の情報処理装置。
【請求項７】
前記補正量に関するデータは、前記画像補正部により補正された補正領域の面積の前記帳票画像の総面積に対する割合を含む、請求項４に記載の情報処理装置。
【請求項８】
前記情報処理装置は、
前記帳票画像に含まれる文字を認識して文字データを生成する文字認識部、
をさらに備え、
前記表示制御部は、前記文字認識部により認識されなかった文字又は誤って認識された文字が存在する可能性がある場合に、前記帳票画像を前記端末装置又は他の端末装置に配信する、
請求項１に記載の情報処理装置。
【請求項９】
帳票を撮影して得られた帳票画像に含まれる前記帳票の外形を検出する検出部、
前記検出部により検出された前記帳票の外形に基づいて、前記帳票画像を再撮影の要否の検査の対象とするか否かを判定する判定部、
及び、前記判定部による判定の結果に応じて、前記帳票画像を端末装置に配信して表示させる表示制御部、
を備える情報処理装置と；
前記情報処理装置から配信される前記帳票画像を表示する表示部、
を備える端末装置と；
を含む帳票処理システム。
【請求項１０】
前記情報処理装置は、
前記帳票画像に含まれる領域であって正常に撮影されなかったと推定される領域について画像を補正する画像補正部、
をさらに備える、請求項９に記載の帳票処理システム。
【請求項１１】
前記表示制御部は、前記画像補正部による補正量に関するデータを、前記帳票画像と共に前記端末装置へ配信する、請求項１０に記載の帳票処理システム。
【請求項１２】
前記表示部は、前記補正量に関するデータに応じて、前記帳票画像を並び替えて表示する、請求項１１に記載の帳票処理システム。
【請求項１３】
前記表示部は、前記帳票画像のうち前記画像補正部により補正された領域を強調して表示する、請求項１１に記載の帳票処理システム。
【請求項１４】
前記端末装置は、
前記表示部により表示された前記帳票画像のうち、前記検査の結果として再撮影が必要であると判断された帳票画像について帳票を撮影可能な撮影部、
をさらに備える、請求項９に記載の帳票処理システム。
【請求項１５】
帳票を撮影して得られた帳票画像に含まれる前記帳票の外形を検出するステップと；
検出された前記帳票の外形に基づいて、前記帳票画像を再撮影の要否の検査の対象とするか否かを判定するステップと；
前記判定の結果に応じて、前記帳票画像を端末装置に配信して表示させるステップと；
を含む帳票処理方法。
【発明の詳細な説明】
【技術分野】
【０００１】
本発明は、情報処理装置、帳票処理システム、及び帳票処理方法に関する。
【背景技術】
【０００２】
ビジネスその他の用途において、注文書や請求書等の帳票類を電子化して処理する情報システムが広く利用されている。そうしたシステムでは、典型的には、多数の帳票を連続的に撮影可能な撮影装置を用いて、日々の業務で発生する帳票が高速に撮影され、画像データとして電子化される。
【０００３】
例えば、下記特許文献１には、特に医療機関で大量に発生するレセプトなどの帳票を納入先ごとに分類した上で１つの撮影装置を用いて連続的に撮影することのできる帳票分類処理システムが記載されている。
【先行技術文献】
【特許文献】
【０００４】
【特許文献１】特開２００６−８５５５４号公報
【発明の概要】
【発明が解決しようとする課題】
【０００５】
しかしながら、帳票を連続的に撮影する場合、入力された帳票に折れや破れが含まれていたなどの理由で、撮影された画像を正式なデータ（例えば原本データ）として扱うことができない恐れがある。そうした場合に備えて、帳票の撮影後に全ての画像データを目視で検査することも考えられるが、帳票の数が多い場合にはユーザの作業負担が大きいため望ましくない。また、文字認識の結果に応じて検査すべき帳票画像を自動的に選別することも考えられるが、その場合、文字認識に影響しない部分の帳票の折れや破れを検出することができない。
【０００６】
そこで、本発明は、再撮影の要否の検査対象を自動的に選別して検査の効率性を高めることのできる、新規かつ改良された情報処理装置、帳票処理システム、及び帳票処理方法を提供しようとするものである。
【課題を解決するための手段】
【０００７】
本発明のある実施形態によれば、帳票を撮影して得られた帳票画像に含まれる前記帳票の外形を検出する検出部と、前記検出部により検出された前記帳票の外形に基づいて、前記帳票画像を再撮影の要否の検査の対象とするか否かを判定する判定部と、前記判定部による判定の結果に応じて、前記帳票画像を端末装置に配信して表示させる表示制御部と、を備える情報処理装置が提供される。
【０００８】
また、前記情報処理装置は、前記帳票画像に含まれる領域であって正常に撮影されなかったと推定される領域について画像を補正する画像補正部、をさらに備えてもよい。
【０００９】
また、前記情報処理装置は、前記判定部による判定の結果を前記帳票画像と関連付けて記憶する記憶部、をさらに備えてもよい。
【００１０】
また、前記記憶部は、前記画像補正部による補正量に関するデータを、さらに前記帳票画像と関連付けて記憶してもよい。
【００１１】
また、前記表示制御部は、前記補正量に関するデータを、前記帳票画像と共に前記端末装置へ配信してもよい。
【００１２】
また、前記補正量に関するデータは、前記画像補正部により補正された補正領域の面積を含んでもよい。
【００１３】
また、前記補正量に関するデータは、前記画像補正部により補正された補正領域の面積の前記帳票画像の総面積に対する割合を含んでもよい。
【００１４】
また、前記情報処理装置は、前記帳票画像に含まれる文字を認識して文字データを生成する文字認識部、をさらに備え、前記表示制御部は、前記文字認識部により認識されなかった文字又は誤って認識された文字が存在する可能性がある場合に、前記帳票画像を前記端末装置又は他の端末装置に配信してもよい。
【００１５】
また、本発明の別の実施形態によれば、帳票を撮影して得られた帳票画像に含まれる前記帳票の外形を検出する検出部、前記検出部により検出された前記帳票の外形に基づいて、前記帳票画像を再撮影の要否の検査の対象とするか否かを判定する判定部、及び、前記判定部による判定の結果に応じて、前記帳票画像を端末装置に配信して表示させる表示制御部、を備える情報処理装置と、前記情報処理装置から配信される前記帳票画像を表示する表示部、を備える端末装置と、を含む帳票処理システムが提供される。
【００１６】
また、前記情報処理装置は、前記帳票画像に含まれる領域であって正常に撮影されなかったと推定される領域について画像を補正する画像補正部、をさらに備えてもよい。
【００１７】
また、前記表示制御部は、前記画像補正部による補正量に関するデータを、前記帳票画像と共に前記端末装置へ配信してもよい。
【００１８】
また、前記表示部は、前記補正量に関するデータに応じて、前記帳票画像を並び替えて表示してもよい。
【００１９】
また、前記表示部は、前記帳票画像のうち前記画像補正部により補正された領域を強調して表示してもよい。
【００２０】
また、前記端末装置は、前記表示部により表示された前記帳票画像のうち、前記検査の結果として再撮影が必要であると判断された帳票画像について帳票を撮影可能な撮影部、をさらに備えてもよい。
【００２１】
また、本発明の別の実施形態によれば、帳票を撮影して得られた帳票画像に含まれる前記帳票の外形を検出するステップと、検出された前記帳票の外形に基づいて、前記帳票画像を再撮影の要否の検査の対象とするか否かを判定するステップと、前記判定の結果に応じて、前記帳票画像を端末装置に配信して表示させるステップと、を含む帳票処理方法が提供される。
【発明の効果】
【００２２】
以上説明したように、本発明に係る情報処理装置、帳票処理システム、及び帳票処理方法によれば、再撮影の要否の検査対象を自動的に選別して検査の効率性を高めることができる。
【図面の簡単な説明】
【００２３】
【図１】第１の実施形態に係る帳票処理システムの概要を示す模式図である。
【図２】正常な帳票の一例を示す説明図である。
【図３】折れと破れが発生した帳票の一例を示す説明図である。
【図４】第１の実施形態に係る情報処理装置の構成を示すブロック図である。
【図５】帳票の輪郭点について説明するための説明図である。
【図６】帳票画像及び帳票の外形データの一例を示す説明図である。
【図７】第１の実施形態に係る判定部による判定結果の一例を示す説明図である。
【図８】第１の実施形態に係る画像補正部による補正処理について説明するための説明図である。
【図９】第１の実施形態に係る検査端末の構成を示すブロック図である。
【図１０】帳票画像検査画面の一例を示す説明図である。
【図１１】帳票画像検査画面の他の例を示す説明図である。
【図１２】帳票画像の検査結果について説明するための説明図である。
【図１３】第１の実施形態に係る帳票処理システムにおける処理の流れを示すフローチャートである。
【図１４】一変形例に係る情報処理装置の構成を示すブロック図である。
【図１５】補正量に関するデータの一例を示す説明図である。
【図１６】一変形例に係る検査端末の構成を示すブロック図である。
【図１７】第３の実施形態に係る帳票処理システムの概要を示す模式図である。
【図１８】第３の実施形態に係る情報処理装置の構成を示すブロック図である。
【図１９】第３の実施形態に係る文字認識部による文字認識結果の一例を示す説明図である。
【図２０】第３の実施形態に係るエントリ端末の構成を示すブロック図である。
【図２１】第３の実施形態に係るエントリ結果の一例を示す説明図である。
【図２２】第３の実施形態に係る帳票処理システムにおける処理の流れを示すフローチャートである。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
なお、説明の順序は以下の見出しの通りとする。
１．第１の実施形態の説明
１−１．システムの全体像
１−２．情報処理装置の構成例
１−３．検査端末の構成例
１−４．処理フロー
１−５．変形例
２．第２の実施形態の説明
２−１．システムの全体像
２−２．情報処理装置の構成例
２−３．エントリ端末の構成例
２−４．処理フロー
【００２６】
＜１．第１の実施形態の説明＞
［１−１．システムの全体像］
まず、図１は、本発明の第１の実施形態に係る帳票処理システム１の概要を示す模式図である。図１を参照すると、帳票処理システム１は、連続撮影装置１０、情報処理装置１００、及び検査端末２００を含む。
【００２７】
連続撮影装置１０は、複数の帳票１２を連続的に撮影して各帳票の画像データである帳票画像を生成することのできる装置である。連続撮影装置１０は、典型的には、帳票の表面を走査して得た反射光又は透過光を撮像素子を用いて電気信号に変換し、当該電気信号から画像データを生成するイメージスキャナであってよい。連続撮影装置１０は、例えば、ユーザの日々の業務において発生する多数の帳票を連続的に撮影して帳票画像を生成し、当該帳票画像を情報処理装置１００へ送信する。
【００２８】
図２を参照すると、本実施形態において取り扱うことのできる帳票の一例としての帳票１２ａが示されている。帳票１２ａには、手書きされ又は電子計算機を用いてタイプされる様々な文字が記載される。図２の例では、帳票１２ａは、折れや破れなどの異常個所を含んでいない。従って、図１に示した連続撮影装置１０は、帳票１２ａを正常に撮影し、例えば原本データとして扱い得る帳票画像を生成することができる。
【００２９】
一方、図３を参照すると、本実施形態において取り扱うことのできる帳票の他の例としての帳票１２ｂが示されている。帳票１２ｂに記載される内容は、図２に示した帳票１２ａと同様である。しかし、帳票１２ｂには、折れ１４及び破れ１６といった異常個所が含まれている。従って、帳票１２ｂをこのまま連続撮影装置１０に入力した場合、例えば原本データとして扱うことのできない不適切な帳票画像が生成される可能性がある。
【００３０】
図１に示した情報処理装置１００には、このように異常個所を含んでいる可能性のある複数の帳票画像が入力される。情報処理装置１００は、かかる帳票画像について、それぞれ再撮影の要否の検査の対象とするか否かを判定し、その判定結果に応じて当該帳票画像を検査端末２００へ配信する。情報処理装置１００による上記判定処理及び配信処理については、後にさらに説明する。なお、情報処理装置１００は、例えば、連続撮影装置１０及び検査端末２００との間でネットワークを介して接続されるサーバ装置として構成されてもよい。その代わりに、情報処理装置１００は、例えば、帳票画像を画像データとして保持しているデータベースにアクセス可能な端末装置であってもよい。
【００３１】
検査端末２００は、情報処理装置１００から配信される帳票画像を所定の画面に表示し、帳票画像の再撮影が必要であるか否かをユーザに検査させる。検査端末２００により表示される画面については後にさらに説明する。なお、検査端末２００は、典型的には、情報処理装置１００との間でネットワークを介して接続される端末装置であってよい。また、検査端末２００は、ＰＣ（Personal  Computer）やワークステーションなどの汎用的なコンピュータであってもよく、又は帳票画像の検査に使用される専用の装置であってもよい。
【００３２】
次に、図１に示した情報処理装置１００及び検査端末２００の具体的な構成について順に説明する。
【００３３】
［１−２．情報処理装置の構成例］
図４は、本実施形態に係る情報処理装置１００の具体的な構成を示すブロック図である。図４を参照すると、情報処理装置１００は、外形検出部１１０、判定部１２０、画像補正部１３０、記憶部１４０、及び表示制御部１５０を備える。
【００３４】
外形検出部１１０は、連続撮影装置１０から受信した帳票画像を解析し、当該帳票画像に含まれる帳票の外形を検出する。より具体的には、外形検出部１１０は、まず、例えば帳票画像に含まれる画素ごとの濃度の変化に応じて、帳票の輪郭上に位置する複数の輪郭点を検出する。図５は、帳票の輪郭点について説明するための説明図である。図５を参照すると、帳票１２ｂについて検出された複数の輪郭点１１２ａ、１１２ｂ…が、網掛けされた円を用いて示されている。外形検出部１１０は、例えば帳票画像に含まれる画素ごとの濃度の変化に応じて、このような複数の輪郭点を検出し、各輪郭点の座標データを帳票画像と関連付けて記憶部１４０に記憶させる。
【００３５】
図６は、記憶部１４０により記憶される帳票画像、及び当該帳票画像と関連付けられる帳票の外形データの一例を示す説明図である。図６の左側には、帳票１２ｂを撮影して得られた帳票画像が示されている。また、図６の右側には、帳票１２ｂについて外形検出部１１０により検出された輪郭点の個数（ｎ個）とｎ個の輪郭点の座標データとを含む外形データ１４２が示されている。外形検出部１１０は、かかる外形データ１４２を、例えばＴＩＦＦ（Tagged  Image  File  Format）形式の画像データ１４４の中に属性値として格納してもよい。その代わりに、外形検出部１１０は、外形データ１４２を例えば帳票画像のファイルパス又は識別子などと関連付けることのできるデータベースに格納してもよい。
【００３６】
判定部１２０は、外形検出部１１０により検出された帳票の外形に基づいて、帳票画像を再撮影の要否の検査の対象とするか否かを判定する。より具体的には、判定部１２０は、まず、例えば記憶部１４０から上述した帳票の輪郭点の座標データを取得する。次に、判定部１２０は、例えば、取得した輪郭点の座標データにより帳票の外形に相当する矩形が形成されるか否かを判定する。例えば、隣り合う輪郭点を結ぶ複数の線分が０度（１８０度）又は９０度以外の角度をなす場合には、判定部１２０は、帳票の外形に相当する矩形が形成されないとみなすことができる。また、例えば、帳票の輪郭点の座標から５つ以上の頂点が認識された場合に、判定部１２０は、帳票の外形に相当する矩形が形成されないとみなすこともできる。そうした場合には、判定部１２０は、輪郭点の座標データにより帳票の外形に相当する矩形が形成されないため、帳票画像を再撮影の要否の検査対象とすることを決定し得る。例えば、図５の例では、外形検出部１１０により検出された隣り合う輪郭点を結ぶ線分は、折れ１４及び破れ１６の周囲において０度（１８０度）又は９０度以外の角度をなしている。また、外形検出部１１０により検出された輪郭点により、５つ以上の頂点が認識されている。従って、判定部１２０は、図５に示した帳票１２ｂを、再撮影の要否の検査の対象とするように判定し得る。また、判定部１２０は、例えば、入力される帳票が定型帳票であって正常な帳票の外形が予め与えられている場合には、外形検出部１１０により検出された外形を既知の正常な外形と比較してもよい。その場合、判定部１２０は、例えば外形の相違する部分の面積等が所定の閾値を超える場合に、帳票画像を再撮影の要否の検査の対象とするように判定することができる。判定部１２０は、このような判定の結果を、帳票画像と関連付けて記憶部１４０に記憶させる。
【００３７】
図７は、上述した判定部１２０による判定結果の一例を示す説明図である。図７を参照すると、３つの帳票画像についての判定結果が、各帳票画像のファイルパスに関連付けて記憶されている。図７の例では、判定結果は、“０：検査不要”又は“１：要検査”の２種類の値をとり得る検査フラグというデータ項目によって表されている。このうち、帳票画像“ＩＭＡＧＥ００１．ｔｉｆ”の検査フラグは“０：検査不要”である。一方、帳票画像“ＩＭＡＧＥ００２．ｔｉｆ”及び“ＩＭＡＧＥ００３．ｔｉｆ”の検査フラグは“１：要検査”である。それにより、後者の２つの帳票画像について、何らかの異常が検出され、帳票の再撮影の要否の検査が必要であると判定されたことが分かる。
【００３８】
画像補正部１３０は、帳票画像に含まれる領域であって正常に撮影されなかったと推定される領域について、画像を補正する。また、画像補正部１３０は、帳票画像に写っている帳票の周囲に位置する不要な黒枠を除去してもよい。図８は、画像補正部１３０による帳票画像の補正処理について説明するための説明図である。このうち、図８（Ａ）は、画像補正部１３０により補正処理が行われる前の帳票画像の一例を示している。画像補正部１３０は、例えば、かかる帳票画像が入力されると、まず、帳票画像の外形データから帳票の輪郭に一致する矩形を認識し、認識した矩形よりも外側の黒色の領域である黒枠１７を除去する。図８（Ｂ）は、画像補正部１３０により黒枠が除去された帳票画像の一例を示している。次に、画像補正部１３０は、黒枠を除去した後に残った異常な黒色領域について白色を補完する（以下、かかる処理を白補完という）。例えば、図８（Ｂ）の例では、帳票の折れを原因とする異常領域１８ａ、及び破れを原因とする異常領域１８ｂが黒枠除去後の帳票画像に残っている。このような異常領域は、仮に帳票が正常に撮影されたとすれば、帳票画像に残らない。画像補正部１３０は、例えば、帳票画像の画素値に基づいてかかる異常領域を認識し、異常領域に含まれる画素の画素値を白色に補正する。図８（Ｃ）は、画像補正部１３０により白補完された帳票画像の一例を示している。
【００３９】
図４に戻り、情報処理装置１００の構成の説明を継続する。
【００４０】
記憶部１４０は、例えばハードディスク又はフラッシュメモリなどの記憶装置を用いて、外形検出部１１０から出力される帳票の外形データ、判定部１２０による判定結果、及び画像補正部１３０により補正された帳票画像などを記憶する。また、記憶部１４０は、次に説明する表示制御部１５０からの要求に応じて、記憶装置に記憶している帳票画像及び帳票画像に関連付けられた所定のデータを出力する。
【００４１】
表示制御部１５０は、判定部１２０による上述した判定の結果に応じて、記憶部１４０に記憶されている帳票画像を検査端末２００へ配信して表示させる。より具体的には、表示制御部１５０は、例えば検査端末２００を介して受信するユーザからの要求に応じて、記憶部１４０に記憶されている帳票画像のうち、図７に示した検査フラグが“１：要検査”となっている帳票画像を取得して検査端末２００へ配信する。このとき、表示制御部１５０は、帳票画像と関連付けられている外形データを帳票画像と共に検査端末２００へ配信してもよい。そして、表示制御部１５０は、検査端末２００から帳票画像の検査結果を受信すると、例えば記憶部１４０に記憶されている検査フラグを更新する。また、表示制御部１５０は、例えば検査端末２００から再撮影された帳票画像を受信すると、記憶部１４０に記憶されている帳票画像を再撮影後の帳票画像に更新する。
【００４２】
かかる情報処理装置１００の構成により、再撮影の要否を検査すべき対象として自動的に選別された帳票画像が、検査端末２００へ配信される。次に、かかる帳票画像を受信して表示する検査端末２００の構成について説明する。
【００４３】
［１−３．検査端末の構成例］
図９は、本実施形態に係る検査端末２００の具体的な構成を示すブロック図である。図９を参照すると、検査端末２００は、帳票画像取得部２１０、表示部２２０、及び撮影部２４０を備える。
【００４４】
帳票画像取得部２１０は、例えば、帳票画像の検査を担当するユーザからの要求に応じて、情報処理装置１００へ検査対象の帳票画像の配信を要求する。そうすると、上述したように、情報処理装置１００の表示制御部１５０は、検査対象の帳票画像を検査端末２００へ配信する。帳票画像取得部２１０は、このように配信された帳票画像を受信し、表示部２２０へ出力する。
【００４５】
表示部２２０は、帳票画像取得部２１０から入力された帳票画像を検査端末２００に接続された表示装置に表示する。また、表示部２２０は、例えば、帳票画像を表示した画面を介してユーザから入力される検査結果を、情報処理装置１００へ送信する。
【００４６】
図１０は、表示部２２０により表示される帳票画像検査画面の一例を示す説明図である。図１０を参照すると、帳票画像表示ウィンドウ２２４及びユーザインタフェース２２６を含む帳票画像検査画面２２２が示されている。このうち、帳票画像表示ウィンドウ２２４には、情報処理装置１００の判定部１２０により再撮影の要否の検査の対象とされた１枚の帳票の帳票画像が表示されている。ユーザは、かかる帳票画像を参照し、帳票の再撮影が必要か否かを検査する。例えば、帳票に記載されているべきデータを折れや破れによって視認できない場合には、ユーザは、帳票の再撮影が必要であると判断し得る。そうした場合には、ユーザは、検査結果としてユーザインタフェース２２６に含まれる「再撮影」ボタンを押下する。また、ユーザは、帳票の再撮影が必要ないと判断した場合には、検査結果としてユーザインタフェース２２６に含まれる「撮影不要」ボタンを押下する。また、ユーザは、「次へ」ボタンを押下することにより、次の帳票画像を検査することができる。
【００４７】
さらに、図１０に示した帳票画像検査画面２２２では、帳票画像に含まれる異常領域を例えば赤色などの特定の色を用いて強調表示し、又は原画像の通りに表示させるためのボタンも設けられている。帳票画像に含まれる異常領域をユーザが視認し易いように強調して表示することにより、帳票の再撮影の要否の検査の作業効率が高まることが期待される。
【００４８】
図１１は、表示部２２０により表示される帳票画像検査画面の他の例を示す説明図である。図１１を参照すると、複数の帳票画像表示ウィンドウ２３４及びユーザインタフェース２３６を含む帳票画像検査画面２３２が示されている。帳票画像検査画面２３２では、情報処理装置１００の判定部１２０により再撮影の要否の検査の対象とされた複数の帳票画像を一覧形式で参照することができる。ユーザは、かかる複数の帳票画像を参照し、帳票の再撮影が必要であると判断した帳票画像については、帳票画像の近傍に配置された「再撮影」を指示するチェックボックスをチェックする。そして、例えば、ユーザがユーザインタフェース２３６に含まれる「検査終了」ボタンを押下することにより、帳票画像の検査結果が情報処理装置１００へ送信される。
【００４９】
図１２は、ユーザによる帳票画像の検査結果について説明するための説明図である。図１２を参照すると、図７の例において“１：要検査”と判定されていた２つの帳票画像“ＩＭＡＧＥ００２．ｔｉｆ”及び“ＩＭＡＧＥ００３．ｔｉｆ”について、再撮影の要否の検査が行われている。そして、検査の結果として、帳票画像“ＩＭＡＧＥ００２．ｔｉｆ”については検査フラグが“３：要再撮影”に更新されている。また、帳票画像“ＩＭＡＧＥ００３．ｔｉｆ”については検査フラグが“２；検査済み”に更新されている。それにより、検査対象となった２つの帳票画像のうち、“ＩＭＡＧＥ００２．ｔｉｆ”についてユーザにより帳票の再撮影が必要であると判断されたことが分かる。
【００５０】
図９に示した検査端末２００の撮影部２４０は、ユーザによる操作に応じて、上述した検査の結果再撮影が必要であると判断された帳票を再撮影する。撮影部２４０は、典型的には、帳票を１枚ずつ撮影して帳票画像を生成することのできるイメージスキャナなどであってよい。図１に示した連続撮影装置１０とは異なり、撮影部２４０を用いて帳票を撮影する場合には、ユーザは撮影された帳票画像を１枚ずつ目視して折れや破れなどの異常が含まれていないことを確認する。そして、撮影部２４０は、再撮影により得られた帳票画像を情報処理装置１００へ送信する。そうすると、情報処理装置１００の表示制御部１５０は、撮影部２４０から受信した新たな帳票画像を記憶部１４０に格納する。このとき、表示制御部１５０は、例えば、図１２に示した“３：要再撮影”の検査フラグを“４：再撮影済み”などの値に更新する。
【００５１】
［１−４．処理フロー］
図１３は、本実施形態に係る帳票処理システム１における処理の流れを示すフローチャートである。
【００５２】
図１３を参照すると、まず、情報処理装置１００の外形検出部１１０により、帳票を撮影して得られた帳票画像が取得される（Ｓ１０２）。次に、外形検出部１１０により、帳票の外形が検出され、例えば図６を用いて説明した帳票の外形データが生成される（Ｓ１０４）。次に、判定部１２０により、当該帳票の外形データに基づいて、帳票画像を再撮影の要否の検査対象とするか否かが判定される（Ｓ１０６）。さらに、画像補正部１３０により、例えば、帳票画像の黒枠除去及び白補完処理が行われる（Ｓ１０８）。
【００５３】
その後、上述したステップＳ１０６において検査が必要であると判定された帳票画像が存在しない場合には、処理は終了する。一方、検査が必要であると判定された帳票画像が存在する場合には、処理はステップＳ１１２へ進む（Ｓ１１０）。
【００５４】
ステップＳ１１２では、例えば検査端末２００を介したユーザからの要求に応じて、情報処理装置１００から検査端末２００の帳票画像取得部２１０へ、検査対象の帳票画像が配信される（Ｓ１１２）。そうすると、検査端末２００の表示部２２０により、帳票の再撮影が必要であるか否かをユーザに検査させるための画面が表示される（Ｓ１１４）。その後、ユーザによる検査の結果、帳票の再撮影は必要でないと判定された場合には、処理は終了する。一方、帳票の再撮影が必要であると判定された場合には、処理はステップＳ１１８へ進む（Ｓ１１６）。そして、ステップＳ１１８では、撮影部２４０により帳票が再撮影され、新たな帳票画像が情報処理装置１００へ送信される（Ｓ１１８）。
【００５５】
ここまで、図１〜図１３を用いて、本発明の第１の実施形態について説明した。本実施形態によれば、帳票画像を解析して検出される帳票の外形に基づいて、帳票画像を再撮影の要否の検査の対象とするか否かが情報処理装置１００により予め判定される。それにより、多数の帳票画像を１枚ずつ確認するユーザの負担が軽減される。また、外形データに応じて帳票の折れや破れが生じている可能性のある箇所を強調表示することで、ユーザによる再撮影の要否の判断を支援することができる。
【００５６】
ここで、通常、図８を用いて説明した画像補正部１３０による白補完処理における補正量が多いほど、帳票の再撮影が必要である可能性が高いということができる。よって、例えば帳票画像の検査を担当するユーザ向けの表示内容を、白補完処理における補正量に応じて制御することが考えられる。そこで、次項において、白補完処理における帳票画像の補正量に応じて表示内容を変化させ、ユーザの検査の負担をさらに軽減させる一変形例について説明する。
【００５７】
［１−５．変形例］
図１４は、本実施形態の一変形例に係る情報処理装置３００の具体的な構成を示すブロック図である。図１４を参照すると、情報処理装置３００は、外形検出部１１０、判定部１２０、画像補正部３３０、記憶部３４０、及び表示制御部３５０を備える。
【００５８】
本変形例において、画像補正部３３０は、上述した画像補正部１３０と同様、帳票画像に含まれる領域であって正常に撮影されなかったと推定される領域について、白補完処理を行う。帳票画像に含まれる領域であって正常に撮影されなかったと推定される領域とは、例えば図８（Ｂ）に示した異常領域１８ａ及び１８ｂなどに該当する。そして、画像補正部３３０は、白補完処理により補正された補正量に関するデータを、補正した帳票画像と関連付けて記憶部３４０に記憶させる。また、画像補正部３３０は、帳票画像に写っている帳票の周囲に位置する不要な黒枠を除去してもよい。
【００５９】
図１５は、画像補正部３３０から記憶部３４０へ出力される補正量に関するデータの一例を示す説明図である。図１５を参照すると、４つの帳票画像“ＩＭＡＧＥ００１．ｔｉｆ”〜“ＩＭＡＧＥ００４．ｔｉｆ”について、「検査フラグ」及び「補正面積」の２つのデータ項目が示されている。このうち、「補正面積」は、上述した補正量に関するデータの一例であって、帳票画像ごとの画像補正部３３０により白補完された異常領域の総面積を表す項目である。図１５の例では、「補正面積」は、帳票画像“ＩＭＡＧＥ００１．ｔｉｆ”については“０”である。即ち、帳票画像“ＩＭＡＧＥ００１．ｔｉｆ”については折れや破れなどの異常領域が存在せず、画像補正部３３０による白補完が行われなかったことが分かる。一方、帳票画像“ＩＭＡＧＥ００２．ｔｉｆ”〜“ＩＭＡＧＥ００４．ｔｉｆ”については、「補正面積」は、それぞれ“２０”、“７３００”、及び“１５”である。補正面積の単位は、例えば画素数などであってよい。画像補正部３３０は、このような補正面積の値を、補正した帳票画像と関連付けて記憶部３４０に記憶させる。なお、補正量に関するデータの種類はかかる例に限定されない。例えば、補正量に関するデータとは、上述した補正面積の帳票画像の総面積に対する割合などであってもよい。
【００６０】
記憶部３４０は、例えばハードディスク又はフラッシュメモリなどの記憶装置を用いて、外形検出部１１０から出力される帳票の外形データ、判定部１２０による判定結果、並びに画像補正部３３０により補正された帳票画像及び補正量に関するデータなどを記憶する。また、記憶部３４０は、表示制御部３５０からの要求に応じて、記憶装置に記憶している帳票画像及び上述した補正量に関するデータを出力する。
【００６１】
表示制御部３５０は、判定部１２０による判定の結果に応じて、記憶部３４０に記憶されている帳票画像を端末装置（例えば後述する検査端末４００）へ配信して表示させる。より具体的には、表示制御部３５０は、例えば端末装置を介して受信するユーザからの要求に応じて、記憶部３４０に記憶されている帳票画像のうち、図１５に示した検査フラグが“１：要検査”となっている帳票画像を取得して配信する。このとき、表示制御部３５０は、帳票画像と関連付けられている補正量に関するデータを帳票画像と共に配信する。そして、表示制御部３５０は、端末装置から帳票画像の検査結果を受信すると、例えば記憶部３４０に記憶されている検査フラグを更新する。また、表示制御部３５０は、例えば端末装置から再撮影された帳票画像を受信すると、記憶部３４０に記憶されている帳票画像を再撮影後の帳票画像に更新する。
【００６２】
図１６は、本変形例に係る端末装置の一例としての検査端末４００の具体的な構成を示すブロック図である。図１６を参照すると、検査端末４００は、帳票画像取得部４１０、表示部４２０、及び撮影部２４０を備える。
【００６３】
帳票画像取得部４１０は、例えば、帳票画像の検査を担当するユーザからの要求に応じて、情報処理装置３００へ検査対象の帳票画像の配信を要求する。そうすると、上述したように、情報処理装置３００の表示制御部３５０は、検査対象の帳票画像及び当該帳票画像に関連付けられた補正量に関するデータを検査端末４００へ配信する。帳票画像取得部４１０は、このように配信された帳票画像及び補正量に関するデータを受信し、表示部４２０へ出力する。
【００６４】
表示部４２０は、帳票画像取得部４１０から入力された帳票画像を検査端末４００に接続された表示装置に表示する。表示部２２０により表示される帳票画像検査画面は、例えば図１０に示した帳票画像検査画面２２２と同様の画面であってよい。但し、このとき、表示部４２０は、帳票画像を補正量に関するデータ値が大きい順に表示する。例えば、図１５に示した３つの帳票画像“ＩＭＡＧＥ００２．ｔｉｆ”〜“ＩＭＡＧＥ００４．ｔｉｆ”が検査対象であったと想定する。その場合、補正面積の大きさに従い、帳票画像“ＩＭＡＧＥ００３．ｔｉｆ”（補正面積“７２００”）、帳票画像“ＩＭＡＧＥ００２．ｔｉｆ”（補正面積“２０”）、帳票画像“ＩＭＡＧＥ００４．ｔｉｆ”（補正面積“１５”）の順に帳票画像が表示される。その後、ユーザによる帳票画像の検査が終了すると、表示部４２０は、情報処理装置３００へ検査結果を送信する。
【００６５】
本変形例によれば、検査端末４００において、帳票画像に含まれる折れや破れなどの異常領域の大きさと対応する補正量の大きさの順に帳票画像が表示される。従って、ユーザは、帳票の再撮影が必要である可能性の高い順に帳票画像を検査することができる。そのため、検査の際の作業負担がさらに軽減され得る。
【００６６】
＜２．第２の実施形態の説明＞
上述した本発明の第１の実施形態によれば、帳票画像を再撮影の要否の検査の対象とするか否かが情報処理装置１００により予め判定されるため、帳票画像を１枚ずつ確認するユーザの負担が軽減される。ここで、帳票を帳票画像として電子的に取り扱うシステムにおいて、帳票画像に含まれる文字を文字データとして自動的に認識するためのＯＣＲ（Optical  Character  Reader：光学文字認識）と呼ばれる技術が用いられる場合がある。この場合、帳票を撮影して得られた帳票画像から、帳票に手書きで記入され又はタイプされた文字がＯＣＲを用いて文字データとして認識され、認識された文字データが電子的に処理される。このとき、ＯＣＲによる文字認識の成功率は必ずしも１００％ではないため、特にエラーが許されない分野においては、撮影された画像を人間が目視して誤読箇所を訂正し、又は不読箇所に対してデータ入力するといった対策が採られている。即ち、この場合、帳票画像が撮影された後、誤読箇所の訂正又は不読箇所へのデータ入力（以下、両者を合わせて“エントリ”という）、及び帳票画像の検査という２種類のユーザによるオペレーションが行われ得る。そこで、例えば、文字認識後のエントリの際に帳票画像の検査と同等の作業をユーザが行うことができれば、全体としての作業負担はさらに小さくなる。よって、本節では、文字認識後のエントリの際にユーザが帳票画像の検査と同等の作業を行うことを可能とする、本発明の第２の実施形態について説明する。
【００６７】
［２−１．システムの全体像］
図１７は、本発明の第２の実施形態に係る帳票処理システム２の概要を示す模式図である。図１７を参照すると、帳票処理システム２は、連続撮影装置１０、検査端末２００、情報処理装置５００、及びエントリ端末７００を含む。
【００６８】
情報処理装置５００は、連続撮影装置１０から入力される帳票画像について、帳票に手書きで記入され又はタイプされた文字を文字データとして自動的に認識する。そして、情報処理装置５００は、文字認識の結果として誤読又は不読の可能性がある場合には、誤読又は不読の可能性がある帳票画像をエントリ端末７００へ配信する。また、情報処理装置５００は、帳票画像を再撮影の要否の検査の対象とするか否かを判定し、その判定結果に応じて当該帳票画像を検査端末２００へ配信する。
【００６９】
エントリ端末７００は、情報処理装置５００から配信される帳票画像を所定の画面に表示し、ユーザにエントリ作業を実施させる。また、エントリ端末７００は、帳票画像の再撮影が必要であるか否かの検査結果を入力可能なユーザインタフェースをユーザに提供する。エントリ端末７００は、例えばＰＣやワークステーションなどの汎用的なコンピュータであってもよく、又はエントリに使用される専用の装置であってもよい。
【００７０】
次に、図１７に示した情報処理装置５００及びエントリ端末７００の具体的な構成について順に説明する。
【００７１】
［２−２．情報処理装置の構成例］
図１８は、本実施形態に係る情報処理装置５００の具体的な構成を示すブロック図である。図１８を参照すると、情報処理装置５００は、外形検出部１１０、判定部１２０、画像補正部１３０、文字認識部５３８、記憶部５４０、及び表示制御部５５０を備える。
【００７２】
文字認識部５３８は、例えば上述したＯＣＲ技術を用いて、連続撮影装置１０から受信した帳票画像に含まれる文字を認識し、文字データを生成する。そして、文字認識部５３８は、生成した文字データを帳票画像と関連付けて記憶部５４０に記憶させる。また、文字認識部５３８は、認識に失敗した可能性のある文字が存在する場合には、文字認識の対象とした帳票画像をエントリ作業の対象とすることを表すデータを記憶部５４０に記憶させる。
【００７３】
図１９は、記憶部５４０により記憶される文字認識の結果の一例を示す説明図である。図１９を参照すると、まず、テーブルの第１列目に、４つの帳票画像“ＩＭＡＧＥ００１．ｔｉｆ”〜“ＩＭＡＧＥ００４．ｔｉｆ”のファイルパスが示されている。次に、第２列目には、各帳票画像を再撮影の要否の検査対象とするか否かの判定結果を表す検査フラグの値が示されている。次に、第３列目には、各帳票画像をエントリ作業の対象とするか否かを表すエントリフラグの値が示されている。さらに、第４列目以降には、文字認識部５３８により認識された文字データが、項目Ａ〜項目Ｎに分けてそれぞれ示されている。このうち、エントリフラグは、“０：エントリ不要”又は“１：要エントリ”のいずれかの値を示している。例えば、帳票画像“ＩＭＡＧＥ００１．ｔｉｆ”及び“ＩＭＡＧＥ００３．ｔｉｆ”のエントリフラグは“０：エントリ不要”である。一方、帳票画像“ＩＭＡＧＥ００２．ｔｉｆ”及び“ＩＭＡＧＥ００４．ｔｉｆ”のエントリフラグは“１：要エントリ”である。それにより、帳票画像“ＩＭＡＧＥ００２．ｔｉｆ”及び“ＩＭＡＧＥ００４．ｔｉｆ”については、エントリ作業が必要であることが分かる。例えば、帳票画像“ＩＭＡＧＥ００２．ｔｉｆ”の項目Ａ、及び帳票画像“ＩＭＡＧＥ００４．ｔｉｆ”の項目Ｎの値は“？”となっており、これらの項目がエントリ作業の対象となり得る。
【００７４】
記憶部５４０は、例えばハードディスク又はフラッシュメモリなどの記憶装置を用いて、帳票の外形データ、判定部１２０による判定結果、帳票画像、及び文字認識部５３８による上述した文字認識結果などを記憶する。また、記憶部５４０は、次に説明する表示制御部５５０からの要求に応じて、記憶装置に記憶している帳票画像及び帳票画像に関連付けられた所定のデータを出力する。
【００７５】
表示制御部５５０は、例えば、文字認識部５３８による上述した判定の結果に応じて、記憶部５４０に記憶されている帳票画像をエントリ端末７００へ配信して表示させる。より具体的には、表示制御部５５０は、例えばエントリ端末７００を介して受信するユーザからの要求に応じて、記憶部５４０に記憶されている帳票画像のうち、図１９に示したエントリフラグが“１：要エントリ”となっている帳票画像を取得してエントリ端末７００へ配信する。このとき、表示制御部５５０は、帳票画像と関連付けられている文字データ（例えば図１９の項目Ａ〜項目Ｎ）を帳票画像と共にエントリ端末７００へ配信してもよい。そして、表示制御部５５０は、エントリ端末７００からエントリ結果を受信すると、例えば記憶部５４０に記憶されているエントリフラグ及び文字データを更新する。さらに、表示制御部５５０は、エントリ端末７００から帳票画像の検査結果を受信し、記憶部５４０に記憶されている検査フラグを更新することができる。
【００７６】
さらに、表示制御部５５０は、第１の実施形態に係る表示制御部１５０と同様、判定部１２０による判定結果に応じて、記憶部５４０に記憶されている帳票画像を検査端末２００へ配信して表示させる。このとき、検査端末２００へ配信される帳票画像は、上述したエントリ端末７００を用いたエントリ作業と並行して行われる検査の結果に応じて数が絞り込まれた画像となる。
【００７７】
次に、かかる表示制御部５５０から配信される帳票画像を受信して表示するエントリ端末７００の構成について説明する。
【００７８】
［２−３．エントリ端末の構成例］
図２０は、本実施形態に係るエントリ端末７００の具体的な構成を示すブロック図である。図２０を参照すると、エントリ端末７００は、帳票画像取得部７１０、及び表示部７２０を備える。
【００７９】
帳票画像取得部７１０は、例えば、エントリを担当するユーザからの要求に応じて、情報処理装置５００へエントリ対象の帳票画像の配信を要求する。そうすると、上述したように、情報処理装置５００の表示制御部５５０は、エントリ対象の帳票画像をエントリ端末７００へ配信する。帳票画像取得部７１０は、このように配信された帳票画像を受信し、表示部７２０へ出力する。
【００８０】
表示部７２０は、帳票画像取得部７１０から入力された帳票画像をエントリ端末７００に接続された表示装置に表示する。また、表示部７２０は、例えば、帳票画像を表示した画面を介してユーザから入力されるエントリ結果を、情報処理装置５００へ送信する。表示部７２０により表示されるエントリ画面は、例えば、図１０に示した帳票画像検査画面２２２に所定の項目についてのデータ入力欄が付加された画面であってもよい。また、表示部７２０は、例えば、帳票画像を表示した画面を介してユーザから入力される帳票画像の検査結果を、情報処理装置５００へ送信する。
【００８１】
図２１は、ユーザによるエントリ結果について説明するための説明図である。図２１を参照すると、図１９の例において“１：要エントリ”と判定されていた２つの帳票画像“ＩＭＡＧＥ００２．ｔｉｆ”及び“ＩＭＡＧＥ００４．ｔｉｆ”についてのエントリフラグが、“２：エントリ済み”に更新されている。また、帳票画像“ＩＭＡＧＥ００２．ｔｉｆ”については、検査フラグが“１：要検査”から“３：要再撮影”に更新されている。また、帳票画像“ＩＭＡＧＥ００４．ｔｉｆ”については、検査フラグが“１：要検査”から“２：検査済み”に更新されている。それにより、エントリ対象となった２つの帳票画像についてエントリ作業と並行して帳票画像の検査が行われ、例えば帳票画像“ＩＭＡＧＥ００４．ｔｉｆ”についてはユーザにより再撮影が不要である判断されたことが分かる。それにより、その後検査端末２００から検査対象の帳票画像の配信要求が情報処理装置５００へ送信されたとしても、帳票画像“ＩＭＡＧＥ００４．ｔｉｆ”は、検査端末２００への配信対象から除外される。
【００８２】
［３−４．処理フロー］
図２２は、本実施形態に係る帳票処理システム２における処理の流れを示すフローチャートである。
【００８３】
図２２を参照すると、まず、情報処理装置５００の外形検出部１１０により、帳票を撮影して得られた帳票画像が取得される（Ｓ２０２）。次に、外形検出部１１０により、帳票の外形が検出され、例えば図６を用いて説明した帳票の外形データが生成される（Ｓ２０４）。次に、判定部１２０により、当該帳票の外形データに基づいて、帳票画像を再撮影の要否の検査対象とするか否かが判定される（Ｓ２０６）。次に、画像補正部１３０により、例えば、帳票画像の黒枠除去及び白補完処理が行われる（Ｓ２０８）。さらに、文字認識部５３８により、帳票画像に含まれる文字が文字データとして認識される（Ｓ２１０）。
【００８４】
その後、上述したステップＳ２１０においてエントリが必要であると判定された帳票画像が存在しない場合には、処理はステップＳ２２０へ進む。一方、エントリが必要であると判定された帳票画像が存在する場合には、処理はステップＳ２１４へ進む（Ｓ２１２）。
【００８５】
ステップＳ２１４では、例えばエントリ端末７００を介したユーザからの要求に応じて、情報処理装置５００からエントリ端末７００の帳票画像取得部７１０へ、エントリ対象の帳票画像が配信される（Ｓ２１４）。そうすると、エントリ端末７００の表示部７２０により、帳票画像に含まれる誤読又は不読箇所についてユーザにエントリさせるための画面が表示される（Ｓ２１６）。そして、ユーザによるエントリ結果及び検査結果がエントリ端末７００から情報処理装置５００へ送信され、情報処理装置５００の記憶部５４０に登録される（Ｓ２１８）。
【００８６】
その後、検査が必要な帳票画像が存在するか否かが判定される（Ｓ２２０）。ここで、検査が必要な帳票画像が存在しないと判定された場合には、処理は終了する。一方、検査が必要な帳票画像が存在すると判定された場合には、処理はステップＳ２２２へ進む。
【００８７】
ステップＳ２２２では、例えば検査端末２００を介したユーザからの要求に応じて、情報処理装置５００から検査端末２００の帳票画像取得部２１０へ、検査対象の帳票画像が配信される（Ｓ２２２）。そうすると、検査端末２００の表示部２２０により、帳票の再撮影が必要であるか否かをユーザに検査させるための画面が表示される（Ｓ２２４）。その後、ユーザによる検査の結果、各帳票について再撮影は必要でないと判定された場合には、処理は終了する。一方、帳票の再撮影が必要であると判定された場合には、処理はステップＳ２２８へ進む（Ｓ２２６）。そして、ステップＳ２２８では、撮影部２４０により帳票が再撮影され、新たな帳票画像が情報処理装置５００へ送信される（Ｓ２２８）。
【００８８】
ここまで、図１７〜図２２を用いて、本発明の第２の実施形態について説明した。本実施形態によれば、帳票画像の検査に先立ち、文字認識結果を受けてのエントリ作業がエントリ端末７００を用いて行われる。その際、エントリを担当するユーザは、エントリ作業と並行して帳票の再撮影が必要か否かを検査することができる。そして、エントリを担当するユーザによるエントリ結果及び検査結果が情報処理装置５００に登録されることで、その後の帳票画像の検査の対象が絞り込まれ、全体としてのユーザの作業負担が軽減される。
【００８９】
以上、添付図面を参照しながら本発明の好適な２つの実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９０】
例えば、図１３又は図２２を用いて説明した帳票画像の処理手順を、必ずしもフローチャートに記載された順序に沿って実行しなくてもよい。各処理ステップは、並列的に又は個別に独立して実行される処理を含んでもよい。
【００９１】
また、本明細書において説明した一連の処理は、ハードウェアで実現されてもよく、又はソフトウェアで実現されてもよい。一連の処理又はその一部をソフトウェアで実行させる場合には、例えば、ソフトウェアを構成するプログラムが予めＲＯＭに格納され、実行時にＲＡＭに読み込まれてＣＰＵにより実行される。
【符号の説明】
【００９２】
１、２                  帳票処理システム
１０                    連続撮影装置
１２                    帳票
１４                    折れ
１６                    破れ
１７                    黒枠
１８                    異常領域
１００、３００、５００  情報処理装置
１１０                  外形検出部
１２０                  判定部
１３０、３３０          画像補正部
５３８                  文字認識部
１４０、３４０、５４０  記憶部
１５０、３５０、５５０  表示制御部
２００、４００          検査端末
２１０、４１０          帳票画像取得部
２２０、４２０          表示部
２２２、２３２          帳票画像検査画面
２２４、２３４          帳票画像表示ウィンドウ
２２６、２３６          ユーザインタフェース
２４０                  撮影部
７００                  エントリ端末
７１０                  帳票画像取得部
７２０                  表示部
【図１】
2010204806.tif 000003
【図２】
2010204806.tif 000004
【図３】
2010204806.tif 000005
【図４】
2010204806.tif 000006
【図５】
2010204806.tif 000007
【図６】
2010204806.tif 000008
【図７】
2010204806.tif 000009
【図８】
2010204806.tif 000010
【図９】
2010204806.tif 000011
【図１０】
2010204806.tif 000012
【図１１】
2010204806.tif 000013
【図１２】
2010204806.tif 000014
【図１３】
2010204806.tif 000015
【図１４】
2010204806.tif 000016
【図１５】
2010204806.tif 000017
【図１６】
2010204806.tif 000018
【図１７】
2010204806.tif 000019
【図１８】
2010204806.tif 000020
【図１９】
2010204806.tif 000021
【図２０】
2010204806.tif 000022
【図２１】
2010204806.tif 000023
【図２２】
2010204806.tif 000024